(57)【要約】【課題】  自動式サーチングシステムとサーチング方法を提供する。【解決手段】  第一映像取得装置によってカバーされる範囲内のワイド・アングル・イメージ信号を連続的にキャッチし、データベースと第一映像取得装置と第二映像取得装置に接続される処理装置によってイメージ識別を実行することによりワイド・アングル・イメージにおける前記データベースにおける第一特徴イメージにマッチングする部分を拡大目標となるように設定し、また前記第二映像取得装置を駆動して前記拡大目標の拡大イメージをキャッチし、それから前記拡大イメージに前記データベースに記録される第二または最後の特徴イメージにマッチングする部分を有することを発見する場合にサーチング対象が見つけられと見なし、サーチング報告手段を起動する。【選択図】  図１
2005149345.tif 000002
【特許請求の範囲】
【請求項１】
サーチング対象の少なくとも第一と第二の特徴イメージを記録するためのデータベースと、
カバーされる範囲内のワイド・アングル・イメージを連続的にキャッチする第一映像取得装置と、
拡大イメージを動的にキャッチする第二映像取得装置と、
前記データベースと第一と第二の映像取得装置に接続され、イメージ識別を実行すると共に、ワイド・アングル・イメージの第一特徴イメージにマッチングする部分を拡大目標となるように設定し、第二映像取得装置を駆動してその拡大目標の拡大イメージをキャッチし、それから拡大イメージにおける第二特徴イメージにマッチングする部分を発見した場合にサーチング対象をサーチングしていると見なし、同時にサーチング報告手段を起動する処理装置と、を少なくとも有することを特徴とする、
自動式サーチングシステム。
【請求項２】
サーチング対象の複数個の特徴イメージを記録するためのデータベースと、
カバーされる範囲内のワイド・アングル・イメージを連続的にキャッチする第一映像取得装置と、
拡大イメージを動的にキャッチする第二映像取得装置と、
前記データベースと第一と第二の映像取得装置に接続され、イメージ識別を実行し、且つ先に第二映像取得装置を駆動してワイド・アングル・イメージにおける第一特徴イメージにマッチングする部分の拡大映像をキャッチし、後続いて順次に他の特徴イメージとマッチングする部分の拡大イメージをキャッチし、最後の特徴イメージにマッチングする前一個の拡大イメージの部分を発見するまで操作を続け、見付けた場合、サーチング対象が既にサーチングされたと見なし、同時にサーチング報告手段を起動する処理装置と、を少なくとも有することを特徴とする、
自動式サーチングシステム。
【請求項３】
サーチング対象の少なくとも第一と第二の特徴イメージを記録するデータベースを提供するステップａと、
第一映像取得装置によってカバーされる範囲内のワイド・アングル・イメージを連続的にキャッチするステップｂと、
処理装置によってイメージ識別を実行することによってワイド・アングル・イメージの  第一特徴映像にマッチングする部分を拡大目標となるように設定するステップｃと、
第二映像取得装置によって前記拡大目標の拡大イメージをキャッチするステップｃと、
処理装置によってその拡大イメージにおける第二特徴イメージにマッチングする部分を有することを発見する場合にサーチング対象が探し出されると見なすステップｅと、
サーチング報告手段を起動するステップｆと、を少なくとも有することを特徴とする、
自動式サーチング方法。
【請求項４】
サーチング対象の複数個の特徴イメージを記録するためのデータベースを提供するステップａと、
第一映像取得装置によってカバーされる範囲内のワイド・アングル・イメージを連続的にキャッチするステップｂと、
処理装置によってイメージ識別を実行することによりワイド・アングル・イメージにおける第一特徴イメージにマッチングする部分を拡大目標とあんるように設定するステップｃと、
第二映像取得装置によって拡大目標の拡大イメージをキャッチするステップｄと、
他の特徴イメージにマッチングする部分の拡大イメージを順次に識別すると共に、キャッチを実行し、最後の特徴イメージが前一個の拡大イメージにマッチングする部分を確認する時に、サーチング対象を見つけたと見なすステップｅと、
サーチング報告手段を起動するステップｆと、を有することを特徴とする、
自動式サーチング方法。
【発明の詳細な説明】
【技術分野】
【０００１】
本発明は、自動式サーチング・システム及びサーチング方法に係るものであり、特にイメージ識別技術を利用すると共に、サーチング対称の複数個の特徴イメージに対し段階式の比較対照を実行し、且つ実際的に拡大イメージをキャッチすることによって解像度と識別効果を向上する、自動式サーチング・システム及びサーチング方法に関するものである。
【背景技術】
【０００２】
従来では、例えば犯罪者や盗まれた車両などの特定の対象をサーチングする方法として、人の肉眼を頼って、比較対照資料におけるそれぞれの特徴を合わせることによって実行する方法を採用し、それぞれの特徴も大部分が各種のイメージである。例えば盗まれた車両をサーチングする場合に、特徴資料には車両のタイプや車両のカラーや札番号などを含み、サーチングする人もより車両の色彩と車両の様式とを優先の比較対照の特徴とする。優先の特徴に該当する車両を見付けた時に、次のステップの札板号の比較対照をし、札番号がマッチングする場合に、車両を見付けたと見なし、車両の所有者に通知するか管理場へ運搬して保管などの後続き後の作業を実行する。
【０００３】
しかしながら、コンピュータと情報産業の快速的な発展の現況化で、人員によって所定の地点で、または派遣車両で、前記のサーチング比較対照を実行することがその効率がかなり劣っており、且つ高いコストのかかる劣化の手段である。また、人員は疲労や集中力が弱いなどの要素によって識別の正確さに悪い影響を及ぼす場合がある。また、人員がさぼったり、休んだりすることによってフルタイムに作業できない場合もしばしばある。全体的に言って、従来の方法はサーチングの作業の効率を所定の程度ぐらい劣化させることがある。
【０００４】
前記人員による比較対照の高コストと低効率の課題を解消するために、近年では、熟したイメージ識別技術が開発され、且つある程度の識別の用途に使用されてきた。
【０００５】
イメージ識別技術が既に成熟になりつつ広範囲に応用されているが、目前の実際的応用はすべて所定距離の固定携帯の識別に過ぎなく、または即時に人力によって比較対照資料を入力する必要がある受動形態である。そのため、依然として人員によって手動的に特定の目的をサーチングする方法より逸脱していなく、また、多数のそれぞれ異なる機能のセンサーを配置して各種の動作の信号を提供する必要があるので、余分にコストをアップさせたり損害される場合にメンテナンスの予算を出す必要があるため、全体の負担を大幅に成長させることがある。
【０００６】
また、それぞれの特許はすべてキャッチした単一のイメージによって必要がある拡大を実施することによって識別に助力を出す必要があるが、キャッチされたイメージの画素の数量にもかかわらず、一部拡大される場合に、すべてデジタル拡大ぼんやり現象を生じるようになるので、識別の困難さを向上し、且つ人工比較対照を実施する必要があるため、こうする場合では人力によって手動的に識別を実行する効果を達成しにくくなる。例えば、モニタリングのレコーディングによって犯罪現場の容疑者のイメージを撮影し、その顔の部分を拡大してから、よく前記のようなデジタル拡大ぼんやり現象により顔の細部を確認できないようになってしまい、比較対照についてかなり技術的困難さを有する。
【０００７】
また、現代では、ある国家またはある単位にはイメージ強化のテクノロジーを有し、例えばぼんやり比較対照または他の方式によって所要するイメージを分析または拡大できる。しかしながら、すべての国家または単位にそういうイメージ強化テクノロジーを有しなく、厳しいケースが生じる場合、前記の少数の国家または単位に依存して協力を提供し、イメージの解像度を向上させるが、両方の書類の往復のかかる時間が、犯罪ケースを解明する早期性を失う場合があり、一般の大衆が単にそのままで持っていて、助けを求められなく、且つイメージ強化テクノロジーも完璧になっていなく、限度ありの改善しか実施できない。
【発明の開示】
【発明が解決しようとする課題】
【０００８】
前記のイメージ識別技術を利用する従来の手段が手動的に特定の目標をサーチングする効果を有しないと共に、キャッチしたイメージが拡大後に依然として効果的に識別できないなどの課題に鑑みて、本発明の発明者は現有の実行可能なイメージ識別技術を利用すると共に、手動的にサーチング対象に該当する複数個の特徴イメージに該当する拡大イメージをキャッチすることにより段階式の比較対象を実行することによって従来技術の欠点を克服し、手動的にはっきりしたイメージをキャッチし、識別に供することができる手動式サーチング技術を提供することができることを期している。
【０００９】
そのため、本発明は、サーチング対象に複数個の特徴イメージに対し段階的な比較対照を実行し、且つ実際的に拡大イメージをキャッチすることによって解像度と識別効果を向上することができる手動式サーチング・システムを提供することをその主要な目的とする。
【００１０】
また、本発明は、サーチング対象の複数個の特徴イメージに対し段階的な比較対照を実行し、且つ実際的に拡大イメージをキャッチすることによって解像度と識別効果を向上することができる手動式サーチング方法を提供することをその他の目的とする。
【００１１】
前記目的を図るために、本発明による手動式サーチング・システムには、  サーチング対象の少なくとも第一と第二の特徴イメージを記録するためのデーターベースと、  カバーされる範囲内のワイド・アングル・イメージを連続的にキャッチする第一映像取得装置と、  拡大イメージを動的にキャッチする第二映像取得装置と、  前記データベースと第一と第二の映像取得装置に接続され、イメージ識別を実行すると共に、ワイド・アングル・イメージの第一特徴イメージマッチングする部分を拡大目標となるように設定し、第二映像取得装置を駆動してその拡大目標の拡大イメージをキャッチし、それから拡大イメージにおける第二特徴イメージにマッチングする部分を発見した場合にサーチング対象をサーチングしていると見なし、同時にサーチング報告手段を起動する処理装置と、を少なくとも有する。
【００１２】
前記他の目的を達成するために、本発明による手動式サーチング方法には下記のようなステップを有する。
サーチング対象の少なくとも第一と第二の特徴イメージを記録するデータベースを提供するステップａと、
第一映像取得装置によってカバーされる範囲内のワイド・アングル・イメージを連続的にキャッチするステップｂと、
処理装置によってイメージ識別を実行することによってワイド・アングル・イメージの  第一特徴映像にマッチングする部分を拡大目標となるように設定するステップｃと、
第二映像取得装置によって前記拡大目標の拡大イメージをキャッチするステップｄと、
処理装置によってその拡大イメージにおける第二特徴イメージにマッチングする部分を  有することを発見する場合にサーチング対象が探し出されると見なすステップｅと、
サーチング報告手段を起動するステップｆと、を少なくとも有する。
【００１３】
サーチング対象の特徴イメージが実際の対象に従ってそれぞれ異なり、数量には差異を有する。そのため、サーチング対象の特徴イメージが二つ以上ある場合、前記の目的を図るために、本発明は一種の自動式サーチング・システムを実現し、それには、サーチング対象の複数個の特徴イメージを記録するためのデーターベースと、カバーされる範囲内のワイド・アングル・イメージを連続的にキャッチする第一映像取得装置と、
拡大イメージを動的にキャッチする第二映像取得装置と、  前記データーベースと第一と第二の映像取得装置に接続され、イメージ識別を実行し、且つ先に第二映像取得装置を駆動してワイド・アングル・イメージにおける第一特徴イメージにマッチングする部分の拡大映像をキャッチし、後続いて順次に他の特徴イメージとマッチングする部分の拡大イメージをキャッチし、最後の特徴イメージにマッチングする前一個の拡大イメージの部分を発見するまで操作を続け、見付けた場合、サーチング対象が既にサーチングされたと見なし、同時にサーチング報告手段を起動する処理装置と、を少なくとも有する。
【００１４】
同様に、サーチング対象の特徴イメージが二個以上ある場合に、前記の他の目的を図るために、本発明は一種の自動式サーチング方法を実現し、それには、
サーチング対象の複数個の特徴イメージを記録するためのデーターベースを提供するステップａと、
第一映像取得装置によってカバーされる範囲内のワイド・アングル・イメージを連続的にキャッチするステップｂと、
処理装置によってイメージ識別を実行することによりワイド・アングル・イメージにおける第一特徴イメージにマッチングする部分を拡大目標となるように設定するステップｃと、
第二映像取得装置によって拡大目標の拡大イメージをキャッチするステップｄと、
他の特徴イメージにマッチングする部分の拡大イメージを順次に識別すると共に、キャッチを実行し、最後の特徴イメージが前一個の拡大イメージにマッチングする部分を確認する時に、サーチング対象を見付けたと見なすステップｅと、
サーチング報告手段を起動するステップｆと、を有する。
【発明を実施するための最良の形態】
【００１５】
本発明の目的と特徴と効果とを解明するために、以下に具体的な実施の形態を挙げて、且つ添付図面を参照しながら、本発明を詳細に説明する。
【００１６】
図１に示すのは、本発明の自動式サーチング・システムを示すブロック図である。図に示すように、本発明により自動式サーチング・システムには、少なくとも、処理装置１とデーターベース２と第一映像取得装置３と第二映像取得装置４とを備える。
【００１７】
その中、前記データーベース２がコンピュータやサーバーや他の類似の電子装置のハードディスクやメモリや他の記録メディアにビルド・インされ、サーチング対象の第一特徴イメージと第二特徴イメージと第三特徴イメージとを記録できる。本実施の形態において、警察の助けて盗難車両を見付けることを例として説明する。そのため、前記第一の特徴イメージとして例えば盗まれた車両の様式や色彩などを採用し、また、その第二の特徴イメージとして例えば車両の札の輪郭を採用し、そして、第三の特徴イメージとして札の番号を採用できる。その中、本実施の形態において、本発明がデータベース２にはサーチングとして例えば車両の札の輪郭を採用し、そして、第三の特徴イメージとして札の番号を採用できる。その中、本実施の形態において、本発明がデータベース２にはサーチング対象の第一特徴イメージと第二特徴イメージと第三特徴イメージとを記録することを例として説明するものである。しかしながら、注意されたいことは、データベース２には選択的にもっと多くの特徴イメージを記録でき、単に三個の特徴イメージを記録することに限られなく、また、前記データベース２にはもっと多くのサーチング対象の特徴イメージを随時に更新または増加できる。
【００１８】
前記第一映像取得装置３はカバーされる範囲内のワイド・アングル・イメージを連続的にキャッチ可能な手段であり、また、選択的に固定式ワイド・アングル撮影装置を採用できる。また、前記第二映像取得装置４がイメージを動的にキャッチ及び拡大する用途に用いられ、且つ選択的に可動式望遠撮影装置を採用でき、前記第二の映像取得装置４は処理装置１によって制御され、拡大目標に設定される拡大イメージをキャッチできる。その中、固定式ワイド・アングル撮影装置が従来物であるので、ここではくどくどしい説明を省略する。他に、本実施の形態において、一個の第一映像取得装置３と一個の第二映像取得装置４とによってイメージのキャッチを実行するが、了解されたいことが、前記第一映像取得装置３と前記第二映像取得装置４の配置数量がそれらのみに限られなく、例えば、複数個の第二映像取得装置４を配置することによって複数個の前記データベース２に記録される特徴イメージを対応し、または複数個の疑いのあるサーチング対象が同時に現れる場合に対応できるように設定する。
【００１９】
第二映像取得装置４が移動する必要があり、且つ方向転換と拡大イメージをキャッチする必要があるので、可動式望遠撮影装置を採用する。しかしながら、一般の可動式望遠撮影装置は望遠撮影装置にユニバーサル・ベースを配置すると共に、精密の駆動機構を使用するものが多く、このような形式は価格が高価であると共に、体積が大きくて重くなり、所定の時間の使用後に、よく摩耗されて料金をかかってメンテナンスを実行する必要がある。そのため、本発明は軽量でアクティブ的で低コストの設計を提案した。それは、前記第二映像取得装置４の採用する可動式望遠撮影装置（図２参照）は、固定式望遠撮影装置５の前端部に可動式反射装置６を配置して形成されるものである。その可動式反射装置６（図３参照）には、ベース７と、反射ミラー８と、縦方向駆動装置９と、横方向駆動装置１０とを有しており、その中、反射ミラー８はその背面部における回転可動支点１１をベース７に結合し、また、前記縦方向駆動装置９と横方向駆動装置１０とが支点１１を介して９０度の挟み角度を形成し（挟み角度が１８０度以下、０度以上の場合ではすべて実施可能であり、好ましい９０度に限ることはない）、且つベース７に配分固定され、且つその先端部をそれぞれ反射ミラー８の背面部の対応箇所に連接する。このうような設計によって、イメージ・キャッチ角度を快速的に変換可能な機能を提供できる。このような設計を採用する場合、快速的で精密的にイメージ・キャッチ角度を変換できると共に、角度を変換する精密さと効率とを容易に調節でき（反射ミラー８と固定式望遠撮影装置との距離を調整することによって達成できる）、実行可能なデザインであり、且つ容易に機械速度が電算速度に及ばない課題を克服できる。また、可動式反射装置６と固定式望遠撮影装置５とが相互に離れられ、また、可動式反射装置６の構成が簡易的で安価的で軽量的で少量体積しか有しないため、可動式望遠撮影装置全体のコストを安価にすることができると共に、余分の管理とメンテナンスのコストを低減できるので、一つの大きな突破であると言える。
【００２０】
前記処理装置１は前記データベース２と第一映像取得装置３と第に映像取得装置４とを接続し、それがコンピュータやサーバーや処理プログラムがビルド・インされるプロセッサーや他の情報処理機能を有する電子装置などを採用できる。その処理装置１が前記第一映像取得装置３と前記第二映像取得装置４からのイメージを受信でき、第二映像取得装置４のキャッチ作動をコントロールでき、且つキャッチされたイメージと前記データベース２における対応の特徴イメージとの比較対照を実行できる。本実施の形態において、前記処理装置１はまず第一映像取得装置３の連続的にキャッチするワイド・アングル・イメージに対しイメージ識別操作を行い、そのワイド・アングル・イメージにおいて第一特徴イメージ（例えば図４に示す盗まれた車両の様式など）にマッチングする部分が現れる場合に、その部分を拡大目標となるように設定し、それから第二映像取得装置４を駆動してその拡大目標の拡大イメージをキャッチする。それから、その拡大イメージにおいて第二特徴イメージにマッチングする部分（例えば図５に示す車両札の輪郭など）を有するかのことを確認し、マッチングする部分があると認める場合、それを拡大目標となるように設定し、且つ前一個または他の第二映像取得装置４を駆動してその拡大イメージをキャッチする。最後に、この拡大イメージと第三の特徴イメージとの相違点を比較対照し、その第三のイメージ特徴（例えば図６に示す札の番号）にマッチングすることを発見した場合に、サーチング対象（盗まれた車両）が見付けられたと見なし、その際、サーチング対象を見付けたと同時に、サーチング報告手段（図示省略）を起動し、警察に通知し、迅速的に捕まえに行かせる。
【００２１】
前記のサーチング報告手段について、本発明の自動式サーチング・システムを応用する場面に応じて適当に変更できる。例えば、警察用車両に取り付けられる場合に、アラームを出すと共に、表示装置にその車両の札の番号（最後の拡大イメージ）を表示するか、分割画面にすべてのマッチングするイメージを表示し、且つサーチング対象（盗まれた車両）の方位を表示することによって車両内の警察に迅速的に車道における真のサーチング対象（盗まれた車両）を識別させ、そして停車させ偵察を実行する。例えば、道路上の固定の位置に取り付けられる場合に、そのサーチング報告手段として関連するメッセージを当地の警察用ネットワークのモニタリング・ホスト装置に情報を送信し、または関連情報を当地の警察用ネットワークに繋がれるすべての警察用車両における対応システムに送信し、表示や音声や他の方式によって警察に関連車両の情報と地点情報と走行方向情報などを告知する。ここで述べたサーチング報告手段について単に実施可能な様態を説明し、実際の方式について本システムの応用またはサーチング対象の異なることによりそれぞれ好適に採用でき、また、それらは本システムの付加する後段の機能（普通は人員起動処理である）であるので、前記に挙げたものに限られることはないことは言うまでもないことである。
【００２２】
また、本発明の自動式サーチングシステムにはさらに表示装置（例えばモニタなど）を含有させることができると共に、それを処理装置１に接続し、それによって前記ワイド・アングル・イメージと拡大イメージなどのマッチングする実際のイメージを表示する。もちろん、二個の表示装置を採用してそれぞれにワイド・アングル・イメージと拡大イメージを表示することによって持続的に連続的なワイド・アングル・イメージを追跡するようにしてもよいことが言うまでもないことである。
【００２３】
また、操作インターフェース（例えばコントロール・キーボードなど）を導入することによって、サーチング対象を操作設定し、またはすべてのサーチング対象の優先順序を設定してもよく、また、サーチング対象が見付けられた場合に画面を停止させるなどの機能を提供する。しかしながら、操作インターフェースの利用可能な機能について、処理装置１内のビルド・インされるアプリケーション・プログラムによって決められ、適当な機能の拡充を実行でき、例えば手操作で容疑対象の拡大イメージを偵察し、またはデータベース２のファイルをロード・インやアップデートなどを実行でき、前記の用途だけに限ることはないことが言うまでもないことである。
【００２４】
また、本システムのキャッチするイメージが相対的速度の相違によって動的変化を生成する場合があり、この変化は、第一映像取得装置３の連続的にキャッチしたワイド・アングル・イメージによって克服するべきである。第二映像取得装置３が連続的にワイド・アングル・イメージを撮影すると共に、第一特徴イメージにマッチングする部分が繰り返して連続的ワイド・アングル・イメージの異なる位置に出現し、そのため、イメージをキャッチする時間差とマッチング部分の位置差に従って相対的移動量と速度を演出でき、そうする場合では第二映像取得装置４の変更すべき角度の先頭の量を取得できる。この種の動的イメージ・キャッチの計算が既に広範的に例えば前記の特許権のイメージ処理と付属技術にに応用され、且つその計算公式やテクニックなども本発明の最先の発明と訴求するポイントではないので、くどくどしい説明を省略する。
【００２５】
前記に挙げた警察を助けて盗まれる車両をサーチングすることを例として本発明の自動式サーチング方法を説明する場合では、本発明の方法には下記のようなステップを有する。
【００２６】
ステップａ：データベース２を提供し、サーチング対象の第一特徴イメージ（例えば車両様式）と第二特徴イメージ（例えば車両の札の車輪）と第三特徴イメージ（例えば車両の札の番号）とを記録する。
【００２７】
ステップｂ：連続的にワイド・アングル・イメージ信号をキャッチする。第一映像取得装置３（例えば固定式ワイド・アングル撮影装置など）によって固定の映像取得方位におけるワイド・アングル・イメージを連続的に撮影し（図４参照）、且つそれぞれのワイド・アングル・イメージを順次に処理装置１に送信する。
【００２８】
ステップｃ：ワイド・アングル・イメージを識別する。処理装置１を利用してそれぞれのワイド・アングル・イメージ１２と、前記データベース２における第一特徴イメージとを比較対照し、ワイド・アングル・イメージに第一特徴イメージにマッチングする部分（例えば図４に示す車両様式の輪郭１２）を有する場合に、その車両の輪郭１２の部分を拡大目標となるように設定する。
【００２９】
ステップｄ：拡大イメージをキャッチする。前記処理装置１によって第二映像取得装置４を駆動することにより拡大目標（車両様式輪郭１２）の拡大イメージをキャッチする。
【００３０】
ステップｅ：拡大イメージを識別する。処理装置１によって前記拡大イメージと前記データベース２に記録される第二特徴イメージとを比較対照し、この拡大イメージ（車両様式輪郭１２）には第二特徴イメージにマッチングする部分（例えば図５に示す車両札輪郭１３）を有すると発見した場合に、車両札輪郭１３の部分を拡大目標となるように設定する。
【００３１】
ステップｆ：拡大イメージをキャッチする。処理装置１によって前一個または他の第二映像取得装置４を駆動して前記拡大目標（車両札輪郭１３）の拡大イメージをキャッチする。
【００３２】
ステップｇ：拡大イメージを識別する。処理装置１によって前記拡大イメージと前記データベース２記録される第三特徴イメージとを比較対照し、この拡大イメージ（車両札輪郭１３）において第三特徴イメージにマッチングする部分）例えば図６に示す車両札の番号１４）を有すると発見した場合に、サーチング対象を見付けたと見なす。
【００３３】
ステップｈ：サーチング報告手段：サーチング対象を見付けた場合に、同期的にサーチング報告手段（前記に既に説明したのでくどくどしい説明を省略する）を起動し、且つ表示装置によって前記拡大イメージ及び／またはワイド・アングル・イメージを表示する。
【００３４】
前記のステップにおいて、イメージを比較対照と相似さを識別する方法について、処理装置１にロード・インされるイメージ識別ソフトウエアなどのテクニックによって達成でき、デジタル化のイメージ識別テクニックが従来技術であるので、ここでは説明を省略する。
【００３５】
もちろん、本発明の自動式サーチング技術（システムと方法とを含む）について、前記実施の形態に記載される警察ネットワークの盗まれた車両の見付けることだけに限定されることはなく、各種の特徴によって区分できるいずれの標的がすべてサーチング対象となることができ、例えば顔の輪郭や両眼の間の距離などの特徴によって特定の人間（例えば行方不明の人間や容疑など）をサーチング対象と定義してもよく、挙げられる例があま  りにも多いので、ここではくどくどしい説明を省略する。
【００３６】
また、本発明の実現技術も前記の二個の映像取得装置に限ることはなく、単に同一の映像取得装置（可動式焦点変更望遠撮影装置）を使用してワイド・アングル・イメージ信号と拡大イメージ信号とをキャッチしてもよく、時間差により些細な中断現象でも生じることがあるが、依然として変異の少ないまたは遅い（例えば駐車場）などの場合に適用できる。これらの変かは単に映像取得装置の数量の多少に相違点を有するに過ぎなく、関連のサーチング技術がすべて前記のものと差異が小さいので、ここでは繰り返して説明しないようにする。
【産業上の利用可能性】
【００３７】
前記の説明から分かるように、本発明は第一と第二の映像取得装置に処理装置とデータベースの設計と方法の応用を合わせると、任意のサーチング対象に対し自動的に拡大イメージをキャッチでき、それによって細部がはっきりするイメージを提供でき、段階式のイメージ比較対照と識別を実行でき、それぞれの識別に提供されるイメージがすべてはっきりとなるので、デジタル拡大ぼんやり現象を有しないため、識別の正確性を確保できる。また、人間の官能に似る段階式の比較対照方法を採用できるので、サーチング効率を向上できる。従来技術と比較する場合、本発明は明らかに識別の正確性と効率を大幅に向上でき、且ついずれのセンサーや高いグレードのイメージ識別装置を採用する必要はないため、設備のコストを大幅に低減でき、それぞれの関連産業の利用に導入できるので、重大な突破せいの設計と言える。また、本発明の自動式サーチング技術が従来にないものであるので、本発明は特許の要件の新規性と進歩性と高度の産業上利用価値を有し、ご査察の上、早期に特許を下すよう宜しくお願い申し上げますこと。
【図面の簡単な説明】
【００３８】
【図１】本発明の自動式サーチングシステムを示すブロック図である。
【図２】本発明の可動式望遠撮影装置の動作を示す説明図である。
【図３】図２の構造を示す斜視図である。
【図４】本発明の第一映像取得装置によってワイド・アングル・イメージをキャッチする場合を示す説明図である。
【図５】本発明の第二映像取得装置によって拡大イメージをキャッチする場合を示す第一の説明図である。
【図６】本発明の第二映像取得装置によって拡大イメージをキャッチする場合を示す第二の説明図である。
【符号の説明】
【００３９】
１  処理装置
２  データベース
３  第一映像取得装置
４  第二映像取得装置
５  固定式望遠撮影装置
６  可動式反射装置
７  ベース
８  反射ミラー
９  縦方向駆動装置
１０  横方向駆動装置
１１  支点
１２  車両様式輪郭
１３  車両札輪郭
１４  車両札番号
【図１】
2005149345.tif 000003
【図２】
2005149345.tif 000004
【図３】
2005149345.tif 000005
【図４】
2005149345.tif 000006
【図５】
2005149345.tif 000007
【図６】
2005149345.tif 000008